(57)【要約】【課題】遠隔操作機構の製造工程における負荷を低減する。【解決手段】輪状のケーブル１２８と、ケーブル１２８を二箇所で摺動自在に支持し両端側にケーブル１２８のループ１２８ａ、１２８ｂを形成するアウターケーブル１３０と、ループ１２８ａ、１２８ｂが巻き付けられる外周面を有する一対のプーリ１１３、２０１と、プーリ１１３、２０１を回動自在に支持する一対のベース１３４、２０８と、を備える。プーリ１１３、２０１の少なくとも一方は、一面側に凹状に形成された凹部１２３と、外周面と凹部１２３とを連通するプーリ開口部１２４と、外周面に巻き付けられてプーリ開口部１２４から凹部１２３へと引き込まれたケーブル１２８が掛け渡される掛止部１２６と、を備える。【選択図】図５
2010107025.tif 000002
【特許請求の範囲】
【請求項１】
輪状のケーブルと、
前記ケーブルを二箇所で摺動自在に支持し両端側に当該ケーブルのループ形状部分を形成するアウターケーブルと、
前記ケーブルのループが巻き付けられる外周面を有する一対のプーリと、
一方が各種機器側に配置され他方がユーザによって操作される操作側に配置されて前記アウターケーブルの両端が接続され、一対の前記プーリを回動自在に支持する一対のベースと、
を備え、
前記プーリの少なくとも一方は、
前記プーリの一面側に凹状に形成された凹部と、
前記外周面に形成されて当該外周面と前記凹部とを連通するプーリ開口部と、
前記凹部に設けられて、前記外周面に巻き付けられて前記プーリ開口部から当該凹部へと引き込まれた前記ケーブルが掛け渡される掛止部と、
を備える遠隔操作機構。
【請求項２】
前記ケーブルは、前記プーリ開口部から前記凹部へと引き込まれた後に交差するように捻られて形成される輪状部が前記掛止部に掛け渡されている、
請求項１記載の遠隔操作機構。
【請求項３】
前記掛止部は、前記プーリ開口部の開口方向と直交する方向に二つ並べて設けられ、
前記ケーブルは、前記輪状部が当該二つの掛止部の間を通された後に前記プーリ開口部側に折り返されて当該二つの掛止部に掛け渡されている、
請求項１又は請求項２記載の遠隔操作機構。
【請求項４】
前記凹部における前記二つの掛止部よりも前記プーリ開口部とは反対側に寄せた位置に設けられて、当該二つの掛止部に掛けられた前記輪状部がさらに掛け渡される一以上の締付用掛止部を備える、
請求項３記載の遠隔操作機構。
【請求項５】
前記凹部における前記プーリ開口部から当該凹部へと引き込まれた前記ケーブルの通過位置に設けられて、ネジ孔を有し当該ネジ孔へのネジ部材の螺合によって前記ケーブルを保持する台座部と、
前記台座部に設けられて、当該台座部上に位置する前記ケーブルの脱落を防止するケーブル保持部と、
を備える、
請求項２ないし４のいずれか一記載の遠隔操作機構。
【請求項６】
前記台座部は、前記掛止部に掛けられた前記ケーブルが形成する交差部が位置する位置に配置されている、
請求項５記載の遠隔操作機構。
【請求項７】
前記ベースに接続される前記アウターケーブルの端部と前記プーリとの距離を調整する調整機構を備え、
当該調整機構は、
前記アウターケーブルの端部の側面に形成されたアウターケーブル凹凸部と、
前記アウターケーブルを配置する収納溝と当該収納溝に設けられた前記凹凸部と噛み合う形状の凹凸保持部とを有するケーブルクランプと、
前記ケーブルクランプが装着されて当該ケーブルクランプと共に前記アウターケーブルを狭持して位置保持するアウターケーブル固定部と、
を備える、
請求項１ないし６のいずれか一記載の遠隔操作機構。
【発明の詳細な説明】
【技術分野】
【０００１】
本発明は、空調装置等をケーブルによって遠隔操作する遠隔操作機構に関する。
【背景技術】
【０００２】
特許文献１に記載されているように、車両に設けられた空調装置等をケーブルによって遠隔操作する遠隔操作機構としては、２本のケーブルを用いて操作側のプーリから空調装置側のプーリへと動力を伝達するようにしたものがある。２本のケーブルの両端には、それぞれケーブルエンドが固定されており、このケーブルエンドが各々のプーリに対して固定されている。これは、プーリに対するケーブルの位置ズレの防止のためである。
【０００３】
【特許文献１】特開２００２−２２１２１６公報
【発明の開示】
【発明が解決しようとする課題】
【０００４】
特許文献１に記載された遠隔操作機構を採用する場合、２本のケーブルの両端をそれぞれケーブルエンドで固定する作業が必要とされ、そのためには、それぞれ別の２本のケーブルを同じ長さに揃える必要があり、製造工程の負荷は極めて大きい。
【０００５】
本発明は以上の点を鑑みてなされたものであり、遠隔操作機構の製造工程における負荷を低減することを目的とする。
【課題を解決するための手段】
【０００６】
本発明の遠隔操作機構は、輪状のケーブルと、前記ケーブルを二箇所で摺動自在に支持し両端側に当該ケーブルのループ形状部分を形成するアウターケーブルと、前記ケーブルのループが巻き付けられる外周面を有する一対のプーリと、一方が各種機器側に配置され他方がユーザによって操作される操作側に配置されて前記アウターケーブルの両端が接続され、一対の前記プーリを回動自在に支持する一対のベースと、を備え、前記プーリの少なくとも一方は、前記プーリの一面側に凹状に形成された凹部と、前記外周面に形成されて当該外周面と前記凹部とを連通するプーリ開口部と、前記凹部に設けられて、前記外周面に巻き付けられて前記プーリ開口部から当該凹部へと引き込まれた前記ケーブルが掛け渡される掛止部と、を備える。
【発明の効果】
【０００７】
本発明によれば、少なくとも一方のプーリでは、ケーブルがプーリの外周面に形成されたプーリ開口部から凹部へと引き込まれて掛止部に掛け渡されているので、ケーブルのプーリに対する位置ズレは防止される。よって、一本のケーブルを輪状にしてその端部をケーブルエンドで固定したケーブルを使用しても動力伝達は確実に行われるため、二本のケーブルを同じ長さにして製造することが不要となり、製造工程における負荷が低減される。
【発明を実施するための最良の形態】
【０００８】
本発明の第１の実施形態について図１ないし図１０に基づいて説明する。第１の実施形態の遠隔操作機構１は、車両に設置される空調装置（図示せず）をコントロールするヒータコントローラへの適用例である。
【０００９】
図１は、遠隔操作機構１を示す斜視図であり、図２は、その分解斜視図である。遠隔操作機構１は、車両のセンターコンソールに取り付けられるケース１０１を備えている。ケース１０１は、四角形のケース開口１０２を一面側に有する中空の四角柱体である。以下の説明では、ケース１０１のケース開口１０２側を「正面側」とし、他面側を「背面側」とする。ケース１０１の背面側の面には、ケース開口１０２に向けて突出した筒状のケース内筒部１１６が一体に設けられている。ケース内筒部１１６は、ケース１０１の内部と背面側とを連通するケース貫通孔１０９を形成する。なお、ケース１０１の内部には、照明用の光源等が配設された基板（図示せず）がさらに収納される。ケース開口１０２には、四角板状のパネル１０３が取り付けられる。パネル１０３は、センターコンソールにおいてキャビンに露出して、他のパネル（図示せず）と共に車両の操作パネルを構成する。パネル１０３の中心位置には、パネル貫通孔１０４が形成されている。パネル１０３の正面側には、パネル貫通孔１０４の周囲に位置させてディスプレイ１０５が取り付けられ、パネル貫通孔１０４には回転操作されるダイヤルノブ１０６が差し込まれる。ダイヤルノブ１０６は、パネル貫通孔１０４に差し込まれる円柱状の円柱部１０７を一方に有し、操作に際してユーザが摘むツマミ部１０８を他方に有する。ディスプレイ１０５は、回転操作されたダイヤルノブ１０６の状態を示すインジケータとなる。
【００１０】
図３は、図１とは別の方向から見た遠隔操作機構１を示す斜視図である。図４は、図２とは別の方向から見た遠隔操作機構１の分解斜視図である。ケース１０１の背面側には、後述する第１プーリ１１３を回動自在に支持するための第１ベース１３４が設けられている。第１ベース１３４は、筒状の壁１１０を有して第１プーリ１１３を収納する第１プーリ収納部１４５を主体に構成されている。ケース１０１の背面側であって壁１１０の中心位置には、前述したケース貫通孔１０９が形成されている。また、第１プーリ収納部１４５には、側方に延出して端面が開口している第１延出部１３５が一体的に設けられている。この第１延出部１３５の開口側の端部には、第１延出部１３５よりも幅広のアウターケーブル固定部１３６が設けられている。アウターケーブル固定部１３６には、ケーブルクランプ１４３が装着される。アウターケーブル固定部１３６及びケーブルクランプ１４３については、後述する。第１プーリ収納部１４５における壁１１０とケース貫通孔１０９との間には、ケース貫通孔１０９に向かって低くなる二段の段部１１１が設けられている。段部１１１の下段の内周は、アクション用ディテント部１１２となっている。
【００１１】
図２を再び参照する。第１プーリ１１３の一面側には、軸部１１５が突出して設けられている。この軸部１１５側を第１プーリ１１３の「正面側」とし、反対側を「背面側」とする。軸部１１５は、第１プーリ１１３が第１プーリ収納部１４５に収納される際に、ケース貫通孔１０９に差し込まれる。すると、軸部１１５はケース内筒部１１６の先端から突き出る。突き出た軸部１１５の先端は、ダイヤルノブ１０６がパネル貫通孔１０４に差し込まれた状態で、その円柱部１０７の端面に形成されている孔１２７に嵌合圧入される。こうして、ダイヤルノブ１０６と軸部１１５とは一体となる。ところで、軸部１１５の途中部分には、側方に向けて突出形成された爪部１１７が設けられている。爪部１１７は、軸部１１５がケース内筒部１１６から突き出た際に、ケース内筒部１１６の先端の縁に引っ掛かる。これにより、軸部１１５はケース内筒部１１６に対して抜け止めされる。このとき、軸部１１５はケース内筒部１１６に対して回動自在となっている。このようにして、第１プーリ１１３は、第１ベース１３４によって回動自在に支持される。回動自在に支持された第１プーリ１１３は、ダイヤルノブ１０６の回動に伴って一体に回動する。
【００１２】
また、図２に示すように、第１プーリ１１３の正面側であって軸部１１５の周囲部分には、長孔状のスチールボール収納部１１８が形成されている。スチールボール収納部１１８には、圧縮バネであるアクションスプリング１１９を介して、スチールボール１２０が収納される。このスチールボール１２０は、第１プーリ１１３が第１プーリ収納部１４５に収納された状態で、アクションスプリング１１９に付勢されて、第１ベース１３４のアクション用ディテント部１１２に当接する。スチールボール１２０のアクション用ディテント部１１２への当接によって、回動自在な第１プーリ１１３は、所定位置での位置保持がなされる。
【００１３】
図３及び図４を再び参照する。第１プーリ１１３は、外周部１１４を有する。外周部１１４の外周面は、第１プーリ１１３が第１プーリ収納部１４５に収納された状態で、壁１１０の内周面に対向する。外周部１１４の外周面には、その円周方向に沿って外周溝１２２が形成されている。第１プーリ１１３の背面側には、外周部１１４に囲われるようにして凹状に形成された凹部１２３が設けられている。第１プーリ１１３の外周部１１４の一部には、その外周面と凹部１２３とを連通するプーリ開口部１２４が形成されている。
【００１４】
図５は、遠隔操作機構１を示す背面図である。なお、図５では、図１ないし図４では図示されていない後述する第２プーリ２０１及び第２ベース２０８が示されている。プーリ開口部１２４を形成する一対の縁部１２５（外周部１１４の一部である）の中間点Ａと外周部１１４が形成する円周の中心点Ｂとを通る仮想線を仮想線Ｃとする。次に、この仮想線Ｃに対して中心点Ｂを通って直交する仮想線を仮想線Ｄとする。仮想線Ｄ上であって中心点Ｂから同じ距離だけ離れた位置には、一対の掛止部１２６が配置されている。掛止部１２６は、凹部１２３の底面から延出するようにして設けられた円柱状の部材である。掛止部１２６の一方を掛止部１２６ａと呼び、他方を掛止部１２６ｂと呼ぶ。そして、凹部１２３における中心点Ｂよりもプーリ開口部１２４側の位置には、台座部１３７が配置されている。
【００１５】
図６は、掛止部１２６を示す斜視図である。図６に示すように、円柱状の掛止部１２６の外周面の一部には、この外周面から突出形成された抜止部１４２が設けられている。抜止部１４２は、後述するようにして掛止部１２６の外周面に掛けられたケーブル１２８が引っ掛かることにより、掛止部１２６の外周面上を滑って抜け落ちてしまうことを防止するものである。一対の掛止部１２６は、互いの抜止部１４２が背中合わせとなる向きに配置されている（図５参照）。
【００１６】
図７は、台座部１３７を示す斜視図である。台座部１３７は、凹部１２３の底面側から突出するアーム形状の四本のケーブル保持部１３８を四隅に有する。プーリ開口部１２４側の二本のケーブル保持部１３８（ケーブル保持部対１３８ａと呼ぶ）は、他方の二本のケーブル保持部１３８（ケーブル保持部対１３８ｂと呼ぶ）よりも互いの間隔を離して配置されている。台座部１３７におけるケーブル保持部１３８の中央位置には、ネジ部材１３９（図４、図１０参照）が螺合されるネジ孔１４０が形成されている。ネジ孔１４０を有する台座部１３７の面には、一方の掛止部１２６ａから他方の掛止部１２６ｂに向けて凹凸が刻まれた凹凸面１４１が形成されている。
【００１７】
図２及び図４を再び参照して、ケーブル１２８について説明する。ケーブル１２８は、一本の亜鉛メッキ線であり、可撓性を有する。一本のケーブル１２８の両端はカシメにより一体に固定され、立方体状のケーブルエンド１２９が固着されている。こうして、ケーブル１２８は、輪状となっている。ケーブル１２８には、樹脂製品であるアウターケーブル１３０が取り付けられている。アウターケーブル１３０は、平行配置された筒状の一対のアウターケーブル筒部１３１と、この一対のアウターケーブル筒部１３１同士を連結する板状のアウターケーブル板部１３２とを有する。アウターケーブル筒部１３１の内径は、ケーブル１２８の径よりも大きい。そして、各々のアウターケーブル筒部１３１には、ケーブル１２８が通されている。つまり、ケーブル１２８は、その一部がアウターケーブル１３０によって摺動自在に支持されている。このとき、ケーブル１２８は、アウターケーブル１３０の両端側で「ループ」を形成している。ケーブルエンド１２９側のループを第２ループ１２８ｂと呼び、他方のループを第１ループ１２８ａと呼ぶ。樹脂製品であるアウターケーブル１３０は可撓性を有するので、ケーブル１２８の湾曲に伴ってアウターケーブル１３０も湾曲する。第２ループ１２８ｂ側のアウターケーブル板部１３２の端部には、四角形状の貫通孔である取付孔２１４が形成されている。これに対して、第１ループ１２８ａ側のアウターケーブル筒部１３１の端部の側面には、背中合わせとなる位置に、三角形状の凹部と凸部とがアウターケーブル１３０の長手方向に沿って連続するアウターケーブル凹凸部１３３が形成されている。
【００１８】
次に、図８及び図９に基づいて、ケーブルクランプ１４３のアウターケーブル固定部１３６への装着について説明する。
【００１９】
図８は、ケーブルクランプ１４３を示す斜視図である。図９は、ケーブルクランプ１４３がアウターケーブル固定部１３６に装着された状態を一部を切り欠いて示す斜視図である。ケーブルクランプ１４３の裏面は、一対のアウターケーブル筒部１３１が配置されるように一対の溝状に形成されている。この溝をクランプ側収納溝１４８と呼ぶ。クランプ側収納溝１４８に配置されるアウターケーブル１３０と隣接する位置には、側方に向けて突出するクランプ爪１４６が設けられている。そして、クランプ爪１４６と背中合わせとなるクランプ側収納溝１４８の内部の位置には、アウターケーブル凹凸部１３３と噛み合う形状の凹凸保持部１４７が形成されている。アウターケーブル固定部１３６も、一対のアウターケーブル筒部１３１が配置されるように一対の溝状に形成されている。この溝を収納溝１５０と呼ぶ。収納溝１５０は、アウターケーブル筒部１３１の径よりも幅広に形成され、ケーブルクランプ１４３を収納可能となっている。収納溝１５０には、収納されたケーブルクランプ１４３のクランプ爪１４６に引っ掛かることで、ケーブルクランプ１４３を抜け止めする固定爪１４９が突出形成されている。そして、アウターケーブル１３０がケーブルクランプ１４３のクランプ側収納溝１４８とアウターケーブル固定部１３６の収納溝１５０とに挟まれるように、ケーブルクランプ１４３をアウターケーブル固定部１３６に装着する。このとき、図９（ａ）に示すように、アウターケーブル凹凸部１３３とケーブルクランプ１４３の凹凸保持部１４７とが噛み合い、図９（ｂ）に示すように、ケーブルクランプ１４３のクランプ爪１４６が固定爪１４９に引っ掛かる。こうして、アウターケーブル１３０の第１ループ１２８ａ側は、位置固定される。このように固定されたアウターケーブル１３０の第１ループ１２８ａ側の端部は、アウターケーブル１３０のアウターケーブル凹凸部１３３とケーブルクランプ１４３の凹凸保持部１４７との噛み合いによってアウターケーブル１３０の延び方向への進退移動が不能とされた状態で固定される。
【００２０】
また、図９（ａ）に示すようなアウターケーブル凹凸部１３３とケーブルクランプ１４３の凹凸保持部１４７との噛み合いについては、その凹凸のピッチごとに互いに噛み合う位置をずらして噛み合わせることができる。これにより、アウターケーブル１３０の第１ループ１２８ａ側の端部と第１ベース１３４に支持されている第１プーリ１１３との距離を調整した後、その状態でケーブルクランプ１４３をアウターケーブル固定部１３６に装着して、アウターケーブル凹凸部１３３とケーブルクランプ１４３の凹凸保持部１４７とを噛み合わせて固定することで、その調整した位置でアウターケーブル１３０の端部をアウターケーブル固定部１３６に固定することが可能である。つまり、アウターケーブル凹凸部１３３、凹凸保持部１４７を有するケーブルクランプ１４３、ケーブルクランプ１４３が装着されるアウターケーブル固定部１３６は、アウターケーブル１３０の端部と第１プーリ１１３との距離を調整する調整機構を構成する。
【００２１】
図５を再び参照して、次に、第２プーリ２０１について説明する。第２プーリ２０１は、第１プーリ１１３と同様に、外周部２０２を有し、外周部２０２に囲われるようにして凹部２０４が設けられている。さらに、外周部２０２の一部には、外周部２０２の外周面と凹部２０４とを連通するプーリ開口部２０５が形成されている。そして、第２プーリ２０１の凹部２０４には、ケーブルエンド１２９の圧入が可能な形状を有するケーブルエンド固定部２０６が設けられている。ケーブルエンド固定部２０６には、圧入されたケーブルエンド１２９に接続されているケーブル１２８をプーリ開口部２０５に向けて逃がす溝２０７が形成されている。次いで、車両の空調装置（図示せず）に設けられている第２ベース２０８について説明する。第２ベース２０８は、筒状の壁２０９を有して第２プーリ２０１を収納する第２プーリ収納部２１０を主体に構成されている。第２プーリ収納部２１０には、側方に延出して端面が開口している第２延出部２１１が一体的に設けられている。第２延出部２１１の端部には、後述する取付爪２１２と保持用腕部２１３とが設けられている。第２ベース２０８は、第２プーリ収納部２１０に収納された第２プーリ２０１を回動自在に支持する。第２プーリ２０１を回動自在に支持する機構は周知であるため説明を省略する。
【００２２】
次に、遠隔操作機構１の組付手順について説明する。第１の手順として、まず、第２プーリ２０１を第２プーリ収納部２１０に収納し、第２ベース２０８に回動自在に支持させる。そして、アウターケーブル１３０における取付孔２１４側の端部を第２ベース２０８の第２延出部２１１の開口に差し込む。このとき、第２ループ１２８ｂをまず先に第２延出部２１１の開口に通すことになる。アウターケーブル１３０の取付孔２１４には、第２延出部２１１に設けられた取付爪２１２が嵌合し、そして、アウターケーブル１３０を保持用腕部２１３が押え付けるようにして保持する。こうして、アウターケーブル１３０は、第２ベース２０８の第２延出部２１１に対して抜け止めされる。次に、ケーブル１２８の第２ループ１２８ｂを第２プーリ２０１の外周部２０２に沿って巻き付けて、ケーブルエンド１２９をケーブルエンド固定部２０６に圧入する。このとき、ケーブル１２８をケーブルエンド固定部２０６の溝２０７から逃がす。
【００２３】
第２の手順として、第１プーリ１１３を第１ベース１３４に回動自在に支持させる。第１ベース１３４による第１プーリ１１３の支持については上述したので、ここでは説明を省略する。そして、この第１プーリ１１３の外周溝１２２に沿って、ケーブル１２８の第１ループ１２８ａを外周溝１２２に沿って巻き付ける。
【００２４】
第３の手順として、外周溝１２２に沿って巻き付けた第１ループ１２８ａをプーリ開口部１２４から凹部１２３へと引き込み、ケーブル保持部対１３８ａの間を通す。そして、この第１ループ１２８ａを、掛止部１２６ａと掛止部１２６ｂとの間で交差するように捻る。これにより、凹部１２３に引き込まれた第１ループ１２８ａの先端には、さらに輪状部１２８ａａが形成される。そして、この輪状部１２８ａａを、プーリ開口部１２４側に折り返して、掛止部１２６ａと掛止部１２６ｂとに掛け渡す。このとき、抜止部１４２よりも凹部１２３の底面側に寄せてケーブル１２８を掛けて抜け止めする。すると、図５に示すように、凹部１２３に引き込まれた第１ループ１２８ａにおいては、縁部１２５の一方と掛止部１２６ａとに渡る部分と、縁部１２５の他方と掛止部１２６ｂとに渡る部分と、掛止部１２６ａと掛止部１２６ｂとに渡る部分とによって、台座部１３７のネジ孔１４０を囲うようにして三角形状の交差部１２８ａｂが凹凸面１４１上に形成される。
【００２５】
第４の手順として、この状態で、図１０に示すように、台座部１３７のネジ孔１４０にネジ部材１３９を螺合させる。図１０は、ネジ部材１３９がネジ孔１４０に螺合した状態の遠隔操作機構１を示す背面図である。すると、ネジ部材１３９のネジ頭によって、第１ループ１２８ａの交差部１２８ａｂは台座部１３７の凹凸面１４１に対して押え付けられる。こうして、第１ループ１２８ａは、台座部１３７において位置固定される。
【００２６】
第５の手順として、アウターケーブル１３０の第１ループ１２８ａ側の端部を、第１ベース１３４の第１延出部１３５から抜ける方向に引っ張りながらアウターケーブル固定部１３６に配置して、アウターケーブル１３０がケーブルクランプ１４３のクランプ側収納溝１４８とアウターケーブル固定部１３６の収納溝１５０とに挟まれるように、ケーブルクランプ１４３をアウターケーブル固定部１３６に装着する。ケーブルクランプ１４３の装着については上述したので説明を省略する。これにより、アウターケーブル１３０の第１ループ１２８ａ側は第１ベース１３４に対して位置固定される。
【００２７】
このような構成において、ツマミ部１０８を摘んでダイヤルノブ１０６を回転させると、ダイヤルノブ１０６と一体に第１プーリ１１３も一体に回動する。このとき、掛止部１２６ａと掛止部１２６ｂとに掛け渡されている第１ループ１２８ａとこの掛止部１２６との間にはケーブル１２８の張力による摩擦力が発生するので、第１プーリ１１３の外周溝１２２に巻き付けられたケーブル１２８の第１ループ１２８ａは、第１プーリ１１３に対するケーブル１２８のズレが防止されて、第１プーリ１１３と一体に回動する。第１ループ１２８ａの回動によってケーブル１２８はアウターケーブル１３０に対して摺動して、第２ループ１２８ｂも第１ループ１２８ａと同じ回転方向に回動する。そして、第２ループ１２８ｂが巻き付けられている第２プーリ２０１は、第２ループ１２８ｂの回動と一体に回動する。第２プーリ２０１の回動によって、空調装置の送風経路等が切り替えられる。このとき、第２ループ１２８ｂは、ケーブルエンド１２９がケーブルエンド固定部２０６に圧入されているので、第２プーリ２０１に対する位置ズレが防止されている。
【００２８】
このように、遠隔操作機構１では、一本からなる輪状のケーブル１２８が第１プーリ１１３と第２プーリ２０１とに掛け渡されるので、ケーブル１２８における第１プーリ１１３から第２プーリ２０１に至る一対の部分の互いの距離は、均一となる。そのため、例えば、従来のように二本のケーブルを同じ長さにして製造するといったことが不要となり、製造工程における負荷（バラツキ管理）が低減される。
【００２９】
また、ケーブルエンド１２９は一つで良いため、二本のケーブルの端部を二つのケーブルエンドによって固定する場合と比較して、製造コストを削減することができる。
【００３０】
また、二本の掛止部１２６（掛止部１２６ａ及び掛止部１２６ｂ）にケーブル１２８の第１ループ１２８ａが掛け渡されているので、例えば掛止部１２６が一本である場合と比較して、掛止部１２６に対するケーブル１２８の巻き付け部分が多くなり、接触抵抗が増大し、より第１プーリ１１３に対するケーブル１２８のズレを防止することができる。
【００３１】
また、第１ループ１２８ａが交差するように捻られて掛止部１２６に掛けられているので、ケーブル１２８（第１ループ１２８ａ）の掛止部１２６に対する締付力がより強くなって位置ズレが防止されている。
【００３２】
また、第１ループ１２８ａを掛止部１２６に掛けるだけで良いため、複雑な作業を要せず、作業工程も簡潔になる。
【００３３】
また、第１ループ１２８ａの交差部１２８ａｂが台座部１３７の凹凸面１４１に対してネジ部材１３９によって押え付けられているので、第１プーリ１１３に対するケーブル１２８のズレがより防止されている。ネジ部材１３９の螺合に際して、台座部１３７上に位置する交差部１２８ａｂがネジ部材１３９の回転力によって台座部１３７の外側に逃げるおそれがあるが、台座部１３７の四隅に設けられているケーブル保持部１３８によって交差部１２８ａｂの逃げが防止され、押え付けを容易に行うことができる。さらに、第１ループ１２８ａの交差部１２８ａｂは、掛止部１２６の近傍で凹部１２３の底面側に向けて押え付けられているため、第１ループ１２８ａがその反対側である掛止部１２６の先端側に位置ズレして掛止部１２６から脱落してしまうことが防止されている。
【００３４】
また、アウターケーブル１３０の第１ループ１２８ａ側の端部と第１プーリ１１３との距離を調整する調整機構を有するため、製造される一本のケーブル１２８の長さにバラツキが生じたとしても、調整機構によってアウターケーブル１３０の端部と第１プーリ１１３との距離を調整することで、ケーブル１２８の長さのバラツキを吸収することができる。例えば、製造されたケーブル１２８の長さが比較的に長い場合にはアウターケーブル１３０の端部を相対的に第１プーリ１１３に遠ざけるようにする。こうして、ケーブル１２８の製造工程における負荷（バラツキ管理）がより低減される。そして、このような調整機構による調整は、ケーブルクランプ１４３のアウターケーブル固定部１３６への装着によって簡単に実現することができる。
【００３５】
図１１は、第２の実施形態の遠隔操作機構１を示す背面図である。第１の実施形態と同一の部分は同一の符号で示し、説明も省略する（以下同じ）。第２の実施形態では、台座部１３７及びネジ部材１３９が設けられていない。このような第２の実施形態であっても、ダイヤルノブ１０６の操作力が小さい場合には、ケーブル１２８（第１ループ１２８ａ）の第１プーリ１１３に対する位置ズレは防止される。
【００３６】
図１２は、第３の実施形態の遠隔操作機構１を示す背面図である。第３の実施形態では、ケーブル１２８の第１ループ１２８ａを、プーリ開口部１２４から凹部１２３へと引き込んだ後に、掛止部１２６ａと掛止部１２６ｂとの間で交差するように捻らずに通し、プーリ開口部１２４側に折り返して、掛止部１２６ａと掛止部１２６ｂとに掛け渡している。このような第３の実施形態であっても、ダイヤルノブ１０６の操作力が小さい場合には、ケーブル１２８（第１ループ１２８ａ）の第１プーリ１１３に対する位置ズレは防止される。
【００３７】
図１３は、第４の実施形態の遠隔操作機構１を示す背面図である。第４の実施形態では、凹部１２３における仮想線Ｃ上であって、中心点Ｂ（図１３中図示せず）よりもプーリ開口部１２４の反対側に寄せた位置に、掛止部１２６が一つだけ配置されている。このとき、掛止部１２６は、その抜止部１４２がプーリ開口部１２４と背中合わせとなる向きに配置されている。そして、ケーブル１２８の第１ループ１２８ａは、プーリ開口部１２４から凹部１２３へと引き込まれた後に交差するように捻られて、掛止部１２６に掛け渡されている。
【００３８】
図１４は、第５の実施形態の遠隔操作機構１を示す背面図である。第５の実施形態が第４の実施形態と異なる点は、交差するように捻られずに掛止部１２６に掛けられている点である。第５の実施形態であっても、ダイヤルノブ１０６の操作力が小さい場合には、ケーブル１２８（第１ループ１２８ａ）の第１プーリ１１３に対する位置ズレは防止される。
【００３９】
図１５は、第６の実施形態の遠隔操作機構１を示す背面図である。第６の実施形態では、凹部１２３における仮想線Ｃ上であって、中心点Ｂよりもプーリ開口部１２４の反対側に寄せた位置に、掛止部１２６ａと掛止部１２６ｂとの他に、さらに掛止部（締付用掛止部１４４と呼ぶ）が設けられている。第６の実施形態では、外周溝１２２に沿って巻き付けた第１ループ１２８ａをプーリ開口部１２４から凹部１２３へと引き込み、掛止部１２６ａと掛止部１２６ｂとの間で交差するように捻って輪状部１２８ａａを形成し、この輪状部１２８ａａを、プーリ開口部１２４側に折り返して、掛止部１２６ａと掛止部１２６ｂとに掛け渡す。そして、掛止部１２６ａと掛止部１２６ｂとに掛け渡した輪状部１２８ａａをさらに締付用掛止部１４４に掛け渡す。これにより、図１５に示すように、ケーブル１２８（第１ループ１２８ａ）は、掛止部１２６ａ及び掛止部１２６ｂの全周に巻き付けられるため、凹部１２３に二つの掛止部１２６が設けられている場合よりも、ケーブル１２８（第１ループ１２８ａ）の掛止部１２６に対する締付力がより強くなって位置ズレが防止される。
【００４０】
図１６は、第７の実施形態の遠隔操作機構１を示す背面図である。第７の実施形態が第６の実施形態と異なる点は、第１ループ１２８ａがプーリ開口部１２４から凹部１２３へと引き込まれた後に、交差するように捻られていない点である。第７の実施形態であっても、ダイヤルノブ１０６の操作力が小さい場合には、ケーブル１２８（第１ループ１２８ａ）の第１プーリ１１３に対する位置ズレは防止される。
【００４１】
なお、上記の実施形態では、アウターケーブル１３０の端部と第１プーリ１１３との距離を調整する調整機構の一部として、アウターケーブル凹凸部１３３に噛み合う凹凸保持部１４７をケーブルクランプ１４３に設けた構成としているが、この凹凸保持部１４７をアウターケーブル固定部１３６側の収納溝１５０内に設けるようにしてもよい。
【図面の簡単な説明】
【００４２】
【図１】遠隔操作機構を示す斜視図である。
【図２】遠隔操作機構を示す分解斜視図である。
【図３】図１とは別の方向から見た遠隔操作機構を示す斜視図である。
【図４】図２とは別の方向から見た遠隔操作機構の分解斜視図である。
【図５】遠隔操作機構を示す背面図である。
【図６】掛止部を示す斜視図である。
【図７】台座部を示す斜視図である。
【図８】ケーブルクランプを示す斜視図である。
【図９】ケーブルクランプがアウターケーブル固定部に装着された状態を一部を切り欠いて示す斜視図である。
【図１０】ネジ部材がネジ孔に螺合した状態の遠隔操作機構を示す背面図である。
【図１１】第２の実施形態の遠隔操作機構を示す背面図である。
【図１２】第３の実施形態の遠隔操作機構を示す背面図である。
【図１３】第４の実施形態の遠隔操作機構を示す背面図である。
【図１４】第５の実施形態の遠隔操作機構を示す背面図である。
【図１５】第６の実施形態の遠隔操作機構を示す背面図である。
【図１６】第７の実施形態の遠隔操作機構を示す背面図である。
【符号の説明】
【００４３】
１…遠隔操作機構
１１３…第１プーリ（プーリ）
１２３…凹部
１２４…プーリ開口部
１２６…掛止部
１２８…ケーブル
１２８ａ…第１ループ（ループ）
１２８ｂ…第２ループ（ループ）
１２８ａａ…輪状部
１２８ａｂ…交差部
１３０…アウターケーブル
１３３…アウターケーブル凹凸部
１３４…第１ベース（ベース）
１３６…アウターケーブル固定部
１３７…台座部
１３８…ケーブル保持部
１３９…ネジ部材
１４０…ネジ孔
１４３…ケーブルクランプ
１４４…締付用掛止部
１４７…凹凸保持部
２０１…第２プーリ（プーリ）
２０４…凹部
２０５…プーリ開口部
２０８…第２ベース（ベース）
【図１】
2010107025.tif 000003
【図２】
2010107025.tif 000004
【図３】
2010107025.tif 000005
【図４】
2010107025.tif 000006
【図５】
2010107025.tif 000007
【図６】
2010107025.tif 000008
【図７】
2010107025.tif 000009
【図８】
2010107025.tif 000010
【図９】
2010107025.tif 000011
【図１０】
2010107025.tif 000012
【図１１】
2010107025.tif 000013
【図１２】
2010107025.tif 000014
【図１３】
2010107025.tif 000015
【図１４】
2010107025.tif 000016
【図１５】
2010107025.tif 000017
【図１６】
2010107025.tif 000018